(57)【要約】    【課題】ねじ止めが不要であってしかも反復着脱性に優れたセンサ装置を提供する。    【解決手段】センサ装置を、略箱状のケース内に人体接近検知手段を収納してなるセンサユニット４と、センサユニットを保持して被取付体に固定されるホルダ５とからなるものとし、前記ホルダを、被取付体に固定される基部６と、センサユニットを所定方向について摺動可能に保持する第１保持部９と、センサユニットの摺動限度を規定する第２保持部１０と、センサユニットに弾発係合してセンサユニットの摺動を阻止する可撓部１１とを有するものとする。【選択図】図１
2006058050.tif 000002
【特許請求の範囲】
【請求項１】
略箱状のケース内に人体接近検知手段を収納してなるセンサユニットと、該センサユニットを保持して被取付体に固定されるホルダとからなり、
前記ホルダは、被取付体に固定される基部と、前記センサユニットを所定方向について摺動可能に保持する第１保持部と、前記センサユニットの摺動限度を規定する第２保持部と、前記センサユニットに弾発係合して前記センサユニットの摺動を阻止する可撓部とを有することを特徴とするセンサ装置。
【請求項２】
前記第１保持部は、前記センサユニットの摺動方向に平行な側面を挟み込む一対の挟持壁と、該一対の挟持壁同士間を連結する連結壁とからなり、
前記第２保持部は、前記センサユニットが前記基部から離間することを防止すべく前記センサユニットの摺動方向一端面に設けられた凸部と係合する孔を備え、前記センサユニットの摺動方向一端面に当接する縦壁からなることを特徴とする請求項１に記載のセンサ装置。
【請求項３】
前記基部は、前記人体接近検知手段に対応する部分の少なくとも一部が切除されたものであることを特徴とする請求項１若しくは２に記載のセンサ装置。
【請求項４】
前記基部は、前記被取付体に対する位置決め手段を備えるものであることを特徴とする請求項１乃至３のいずれかに記載のセンサ装置。
【発明の詳細な説明】
【技術分野】
【０００１】
本発明は、センサ装置に関し、特にねじ止めのきかない材質の被取付体に対して人体接近検知手段を反復着脱が可能なように取り付けることのできるセンサ装置に関するものである。
【背景技術】
【０００２】
人体の接離に応じて洗浄水を自動的に流出させるために、図３に示されたように人体接近検知センサＳを前面に設けた男性用小便器が知られている（特許文献１を参照されたい）。この文献１に記載の人体接近検知センサは、赤外線の投受光を行うために透光材で塞がれた窓が前面に設けられている。従って、赤外線の透過に影響を及ぼすほどに窓が汚損されると、センサの感度が低下して洗浄動作が不確実となるおそれがあった。
【０００３】
このような不都合が生じないように、人体接近検知センサとしてマイクロ波を使用することにより、透光窓を不要としたものが提案されている（特許文献２を参照されたい）。
【特許文献１】特開２００４−０７７２８０号公報
【特許文献２】特開２００２−２８５６２６号公報
【発明の開示】
【発明が解決しようとする課題】
【０００４】
しかるに、マイクロ波センサは、透光窓が不要な反面、陶器製の本体に予め設けた孔を通過した部分を前後両面から挟み付けるようにした文献１に記載のセンサ固定手段を利用することができないため、ねじ止めのきかない材質の被取付体に対する取付けが厄介となっている。特に故障に備えてセンサを交換可能に構成することが困難であった。
【０００５】
本発明は、このような従来技術の問題点に鑑み、ねじ止めが不要であってしかも反復着脱性に優れたセンサ装置を提供することを課題として案出されたものである。
【課題を解決するための手段】
【０００６】
このような課題を解決するために本発明の請求項１は、センサ装置１を、略箱状のケース内に人体接近検知手段を収納してなるセンサユニット４と、該センサユニットを保持して被取付体に固定されるホルダ５とからなるものとし、前記ホルダは、被取付体に固定される基部６と、前記センサユニットを所定方向について摺動可能に保持する第１保持部９と、前記センサユニットの摺動限度を規定する第２保持部１０と、前記センサユニットに弾発係合して前記センサユニットの摺動を阻止する可撓部１１とを有することを特徴とするものとした。また請求項２は、前記第１保持部９を、前記センサユニットの摺動方向に平行な側面を挟み込む一対の挟持壁７と、該一対の挟持壁同士間を連結する連結壁８とからなるものとし、前記第２保持部を、前記センサユニットが前記基部から離間することを防止すべく前記センサユニットの摺動方向一端面に設けられた凸部１３と係合する孔１２を備え、前記センサユニットの摺動方向一端面に当接する縦壁からなるものとした。また請求項３は、前記基部における前記人体接近検知手段に対応する部分の少なくとも一部を切除するものとした。さらに請求項４は、前記被取付体に対する位置決め手段（垂下部１４）を前記基部に備えさせるものとした。
【発明の効果】
【０００７】
このような本発明の請求項１によれば、例えば、接着剤や両面粘着テープを用いてホルダを恒久的に便器に固定することができ、固定されたホルダは、センサユニットを摺動可能に保持し、且つ可撓部の弾発係合でその保持状態を維持するので、ホルダに対するセンサユニットの反復着脱性を高める上に大きな効果が得られる。また請求項２によれば、ホルダの一対の挟持壁でセンサユニットの左右方向の位置決めがなされ、一対の挟持壁同士間を連結する連結壁およびセンサユニットの凸部とホルダの縦壁の孔との係合で上下方向位置決めがなされ、ホルダの縦壁でセンサユニットの前後方向位置決めがなされる。即ち、これらにより、ホルダに対するセンサユニットの三次元的な位置決めがなされる。また請求項３によれば、マイクロ波の減衰による感度の低下が抑制される。そして請求項４によれば、被取付体に対してホルダを取り付ける際の作業性が高められる。
【発明を実施するための最良の形態】
【０００８】
以下に添付の図面を参照して本発明について詳細に説明する。
【０００９】
図１並びに図２は、本発明に基づき構成されたセンサ装置を示している。このセンサ装置１は、図２に示したように、男性用小便器の縦壁２の上端に連続的に形成された前向きの張出部３の内側に画成された空間内に収容されており、マイクロ波の反射波で人体の接近を検知する検知手段を箱状をなす合成樹脂製のケース内に収納してなるセンサユニット４と、センサユニット４を保持して被取付体である男性用小便器の張出部３の内側に例えば接着剤や両面粘着テープＴを用いて固定されるホルダ５とからなっている。
【００１０】
ホルダ５は、合成樹脂材の射出成型にて形成されており、張出部３における底壁３ａの上面に固定される基部６と、センサユニット４を前後方向について摺動可能に保持すべくセンサユニット４の左右両側面を挟み込む一対の挟持壁７および一対の挟持壁７の上端縁同士間を連結する連結壁８からなる第１保持部９と、センサユニット４の摺動限度位置を規定する縦壁からなる第２保持部１０と、センサユニット４の左右両側面に弾発係合してセンサユニット４の離脱を阻止する一対の可撓部１１とからなっている。
【００１１】
第２保持部１０は、取付時に手前側に位置するセンサユニット４の端面に当接するように立設されると共に、その左右方向中央部に矩形孔１２が形成されている。そしてセンサユニット４の手前側の端面には、断面形状が実質的に直角三角形をなす凸部１３（図２）が突設されている。この凸部１３が矩形孔１２の上縁に係合すると共に、センサユニット４の上面を連結壁８が抑えることにより、センサユニット４の底面が基部６の上面から離間しないようにしている。
【００１２】
基部６は、センサユニット４の底面を必要最少限度支持できる程度の部分を残し、センサユニット４の底面と対向する部分の大部分が切除されており、マイクロ波が減衰されることを抑制している。
【００１３】
取付時に奥側に位置する基部６の端縁には、垂下部１４が形成されており、これが小便器における張出部３の底壁３ａと縦壁２との接続部の角に突き当たり、被取付体である小便器に対するホルダ５の位置決めがなされるようになっている。なお、この垂下部１４には、センタ位置を合わせるためのマーク用縦線１５が刻設されている。
【００１４】
可撓部１１は、第２保持部１０（縦壁）の左右両側端縁と、一対の挟持壁７の前端縁との間を連結しており、側方へ撓みやすくなるように、幾分か薄肉にされている。そしてその前後方向中間部の対向内面には、断面形状が半円形をなす凸部１６が形成されている。
【００１５】
センサユニット４の左右両側面には、この凸部１６と係合する凹部１７が形成されている。そしてセンサユニット４の奥側の端面には、リード線を接続するコネクタ１８が設けられている。
【００１６】
小便器の背面には、開口部Ａが設けられており、張出部３の内側に背面からアクセス可能なようになっている。従って、張出部３の内側へ指先を差し込んでセンサユニット４を引っ張れば、一対の可撓部１１が共に外向きに変形し、センサユニット４の両側面の凹部１７から凸部１６が離脱するので、そのまま奥側（小便器が取り付けられた壁側）へセンサユニット４をスライドさせれば、センサユニット４をホルダ５から取り外すことができる。装着時は、この逆に奥側から手前側へセンサユニット４を押し込み、一杯押し込むと、可撓部１１の凸部１６がセンサユニット４の凹部１７に係合し、抜け止めされる。このようにして、本発明によれば、小便器に予め固定されたホルダ５に対し、センサユニット４を簡単に反復着脱することができる。
【産業上の利用可能性】
【００１７】
本発明に係るセンサ装置は、上述した男性用小便器のみならず、人間の接離を検出したいセンサとして広汎に適用することが可能である。
【図面の簡単な説明】
【００１８】
【図１】本発明装置の分解斜視図である。
【図２】本発明装置の取付状態を示す要部縦断面図である。
【図３】従来の男性用小便器の全体斜視図である。
【符号の説明】
【００１９】
センサ装置１
センサユニット４
ホルダ５
基部６
第１保持部９
第２保持部１０
可撓部１１
挟持壁７
連結壁８
凸部１３
矩形孔１２
垂下部１４
【図１】
2006058050.tif 000003
【図２】
2006058050.tif 000004
【図３】
2006058050.tif 000005